(57)【特許請求の範囲】
【請求項１】
刃台と天板との間で下刃体と中刃体と上刃体とを挟着した三枚刃剃刀ヘッドにおいて、
刃台から突設した第一下側支持突起を下刃体と中刃体とに貫通させるとともに上刃体に突き合わせてこの第一下側支持突起と天板とで上刃体を挟持し、
天板から突設した第一上側支持突起を上刃体と中刃体とに貫通させるとともに下刃体に突き合わせてこの第一上側支持突起と刃台とで下刃体を挟持し、
前記第一下側支持突起及び第一上側支持突起のほかに、刃台から突設した第二下側支持突起と、天板から突設した第二上側支持突起とをこの第一下側支持突起及び第一上側支持突起から分離して設け、この第二下側支持突起を下刃体に貫通させて中刃体に突き合わせるとともに、この第二上側支持突起を上刃体に貫通させて中刃体に突き合わせ、この第二下側支持突起とこの第二上側支持突起とは中刃体を挟んで互いに向き合った状態で中刃体を挟持している
ことを特徴とする三枚刃剃刀ヘッドにおける刃体挟着構造。
【請求項２】
互いに向き合っている第二下側支持突起と第二上側支持突起とにおいて、中刃体に突き合わせた第二下側支持突起の当接面が中刃体に与える圧接力と、中刃体に突き合わせた第二上側支持突起の当接面が中刃体に与える圧接力とは、互いに打ち消し合うように等しくなっていることを特徴とする請求項１に記載の三枚刃剃刀ヘッドにおける刃体挟着構造。
【請求項３】
互いに向き合っている第二下側支持突起と第二上側支持突起とにおいて、中刃体に突き合わせた第二下側支持突起の当接面の形状及び面積と、中刃体に突き合わせた第二上側支持突起の当接面の形状及び面積とは、互いに同じになっていることを特徴とする請求項１に記載の三枚刃剃刀ヘッドにおける刃体挟着構造。
【請求項４】
互いに向き合っている第二下側支持突起と第二上側支持突起とにおいて、中刃体に突き合わせた第二下側支持突起の当接面の上方域と、中刃体に突き合わせた第二上側支持突起の当接面の下方域とは、互いに一致していることを特徴とする請求項１に記載の三枚刃剃刀ヘッドにおける刃体挟着構造。
【請求項５】
互いに向き合っている第二下側支持突起と第二上側支持突起とからなる一組の支持突起を各刃体の刃先の延設方向へ複数組配置し、複数組の支持突起のうち最も近い位置関係にある両組の支持突起間で、第一下側支持突起と第一上側支持突起とを刃先の延設方向へ交互に並設したことを特徴とする請求項１から請求項４のうちいずれかの請求項に記載の三枚刃剃刀ヘッドにおける刃体挟着構造。
【発明の詳細な説明】
【０００１】
【発明の属する技術分野】
この発明は、刃台と天板との間で下刃体と中刃体と上刃体とを挟着した三枚刃剃刀ヘッドに関するものである。
【０００２】
【従来の技術】
従来、例えば特開平９ー１８７５８５号公報で開示された三枚刃剃刀ヘッドにおいては、同公報の図１に示すように、刃台１に突設された各挟持台１１（本発明の第一下側支持突起に該当）が下刃体５と中刃体４とに貫通されるとともに上刃体３に突き合わされてこの各挟持台１１と天板２とで上刃体３が挟持され、天板２に突設された各支軸２１（本発明の第一上側支持突起に該当）が上刃体３と中刃体４とに貫通されるとともに下刃体５に突き合わされてこの各支軸２１と刃台１とで下刃体５が挟持されている。一方、中刃体４は、前記各挟持台１１に形成された段差状の挟持面１４と、前記各支軸２１に形成された段差状の挟持面２６とにより挟持されている。
【０００３】
【発明が解決しようとする課題】
しかし、前記各挟持台１１や前記各支軸２１に段差状の挟持面１４，２６を形成する必要があるため、各挟持台１１の形状や各支軸２１の形状が複雑になる問題があった。
【０００４】
本発明は、前記段差状の挟持面に該当するものを前記挟持台や支軸から分離して設けることにより、この挟持台に該当する第一下側支持突起の形状や、この支軸に該当する第一上側支持突起の形状を簡略化することを目的にしている。
【０００５】
【課題を解決するための手段及び発明の効果】
後記実施形態の図面（図１〜２）の符号を援用して本発明を説明する。
＊  請求項１の発明
この発明の三枚刃剃刀ヘッドにおいては、刃台（１）と天板（２）との間で下刃体（３）と中刃体（４）と上刃体（５）とを挟着している。刃台（１）から突設した第一下側支持突起（６）を下刃体（３）と中刃体（４）とに貫通させるとともに上刃体（５）に突き合わせてこの第一下側支持突起（６）と天板（２）とで上刃体（５）を挟持している。天板（２）から突設した第一上側支持突起（８）を上刃体（５）と中刃体（４）とに貫通させるとともに下刃体（３）に突き合わせてこの第一上側支持突起（８）と刃台（１）とで下刃体（３）を挟持している。
【０００６】
前記第一下側支持突起（６）及び第一上側支持突起（８）のほかに、刃台（１）から突設した第二下側支持突起（７）と、天板（２）から突設した第二上側支持突起（９）とをこの第一下側支持突起（６）及び第一上側支持突起（８）から分離して設け、この第二下側支持突起（７）を下刃体（３）に貫通させて中刃体（４）に突き合わせるとともに、この第二上側支持突起（９）を上刃体（５）に貫通させて中刃体（４）に突き合わせ、この第二下側支持突起（７）とこの第二上側支持突起（９）とで中刃体（４）を挟持している。そのため、中刃体（４）を挟持するための第二下側支持突起（７）及び第二上側支持突起（９）を第一下側支持突起（６）及び第一上側支持突起（８）に対し形状的に全く関係なく形成することができる。従って、第一下側支持突起（６）の形状及び第一上側支持突起（８）の形状を簡略化することができる。
【０００７】
さらに、第二下側支持突起（７）と前記第二上側支持突起（９）とは、中刃体（４）を挟んで互いに向き合っている。そのため、中刃体（４）に突き合わせた第二下側支持突起（７）の当接面（１８）と、中刃体（４）に突き合わせた第二上側支持突起（９）の当接面（１９）とが相対向してこの当接面（１８）の上方域（Ｐ）とこの当接面（１９）の下方域（Ｑ）とが互いに交差し、この当接面（１８）に生じる圧接力（ｆ）の向きとこの当接面（１９）に生じる圧接力（ｆ）の向きとが相対向してそれらの圧接力（ｆ）の一部または全部が打ち消し合う。従って、これらの当接面（１８）（１９）間で中刃体（４）を上下方向へ曲げることなく確実に挟持することができる。
【０００８】
＊  請求項２の発明
この発明は、請求項１の発明を前提にして下記のように構成されている。
互いに向き合っている第二下側支持突起（７）と第二上側支持突起（９）とにおいて、中刃体（４）に突き合わせた第二下側支持突起（７）の当接面（１８）が中刃体（４）に与える圧接力（ｆ）と、中刃体（４）に突き合わせた第二上側支持突起（９）の当接面（１９）が中刃体（４）に与える圧接力（ｆ）とは、互いに打ち消し合うように等しくなっている。従って、これらの当接面（１８）（１９）間で中刃体（４）をより一層確実に挟持することができる。
【０００９】
＊  請求項３の発明
この発明は、請求項１の発明を前提にして下記のように構成されている。
互いに向き合っている第二下側支持突起（７）と第二上側支持突起（９）とにおいて、中刃体（４）に突き合わせた第二下側支持突起（７）の当接面（１８）の形状及び面積と、中刃体（４）に突き合わせた第二上側支持突起（９）の当接面（１９）の形状及び面積とは、互いに同じになっている。従って、これらの当接面（１８）（１９）間で中刃体（４）をより一層確実に挟持することができる。
【００１０】
＊  請求項４の発明
この発明は、請求項１の発明を前提にして下記のように構成されている。
互いに向き合っている第二下側支持突起（７）と第二上側支持突起（９）とにおいて、中刃体（４）に突き合わせた第二下側支持突起（７）の当接面（１８）の上方域（Ｐ）と、中刃体（４）に突き合わせた第二上側支持突起（９）の当接面（１９）の下方域（Ｑ）とは、互いに一致している。従って、これらの当接面（１８）（１９）間で中刃体（４）をより一層確実に挟持することができる。
【００１１】
＊  請求項５の発明
この発明は、請求項１から請求項４のうちいずれかの請求項の発明を前提にして下記のように構成されている。
【００１２】
互いに向き合っている第二下側支持突起（７）と第二上側支持突起（９）とからなる一組の支持突起（２０）を各刃体（３，４，５）の刃先（３ａ，４ａ，５ａ）の延設方向（Ｘ）へ複数組配置している。複数組の支持突起（２０）のうち最も近い位置関係にある両組の支持突起（２０）間で、第一下側支持突起（６）と第一上側支持突起（８）とを刃先（３ａ，４ａ，５ａ）の延設方向（Ｘ）へ交互に並設している。そのため、各刃体（３，４，５）に生じる挟着力（Ｆ）を均等化して各刃体（３，４，５）を確実に挟持することができる。
【００１３】
＊  請求項以外の発明
・  第６の発明
この発明は、請求項２の発明と請求項３の発明とを組み合わせたもの、または請求項２の発明と請求項４の発明とを組み合わせたもの、または請求項３の発明と請求項４の発明とを組み合わせたもの、または請求項２の発明と請求項３の発明と請求項４の発明とを組み合わせたものである。
【００１４】
・  第７の発明
この発明は、請求項１から請求項５のうちいずれかの請求項の発明、または第６の発明を前提にして下記のように構成されている。
【００１５】
下刃体（３）と中刃体（４）との間、中刃体（４）と上刃体（５）との間にそれぞれ髭かす排除間隙（２１）を設けた。
【００１６】
【発明の実施の形態】
以下、本発明の一実施形態にかかる三枚刃剃刀ヘッド及びその刃体挟着構造を図面を参照して説明する。
【００１７】
この三枚刃剃刀ヘッドは、大別して、刃台１と天板２と下刃体３と中刃体４と上刃体５とを備えている。この下刃体３と中刃体４と上刃体５とは刃台１と天板２との間で上下に重ねられ、各刃体３，４，５の刃先３ａ，４ａ，５ａが刃台１と天板２との間で前側へ露出して上下に並んでいる。刃台１には、複数の第一下側支持突起６と、この各第一下側支持突起６から分離して別々にした複数の第二下側支持突起７とが、天板２側へ向けて突設されている。天板２には、複数の第一上側支持突起８と、この各第一上側支持突起８から分離して別々にした複数の第二上側支持突起９とが、刃台１側へ向けて突設されている。この第一上側支持突起８は、大径の軸部８ａと、この軸部８ａの下端部で段差状に形成された小径のかしめ部８ｂからなる。下刃体３及び中刃体４にはそれぞれ各第一下側支持突起６を通す支持孔１０が形成されている。下刃体３には各第二下側支持突起７を通す支持孔１１が形成されている。上刃体５と中刃体４と下刃体３と刃台１にはそれぞれ各第一上側支持突起８を通す支持孔１２が形成されている。上刃体５には各第二上側支持突起９を通す支持孔１３が形成されている。
【００１８】
前記各第一下側支持突起６は下刃体３の支持孔１０と中刃体４の支持孔１０とに貫通されている。この各第一下側支持突起６の上端面である当接面１４は上刃体５の下面に突き合わされ、この各第一下側支持突起６の当接面１４と天板２の当接面１５とで上刃体５が挟持されている。また、前記各第一上側支持突起８の軸部８ａは上刃体５の支持孔１２と中刃体４の支持孔１２とに貫通され、この各第一上側支持突起８のかしめ部８ｂが下刃体３の支持孔１２と刃台１の支持孔１２とに貫通されている。この各第一上側支持突起８でかしめ部８ｂに対する段差部分にある軸部８ａの当接面１６は下刃体３の上面に突き合わされ、この第一上側支持突起８の軸部８ａの当接面１６と刃台１の当接面１７とで下刃体３が挟持されている。
【００１９】
前記第二下側支持突起７は、下刃体３の支持孔１１に貫通され、中刃体４の下面に突き合わされている。前記第二上側支持突起９は、上刃体５の支持孔１３に貫通され、中刃体４の上面に突き合わされている。この第二下側支持突起７の上端面である当接面１８と、この第二上側支持突起９の下端面である当接面１９とで中刃体４が挟持されている。この第二下側支持突起７の当接面１８とこの第二上側支持突起９の当接面１９とは中刃体４を挟んで互いに向き合い、この第二下側支持突起７とこの第二上側支持突起９とからなる一組の支持突起２０が構成されている。
【００２０】
前記一組の支持突起２０は各刃体３，４，５の刃先３ａ，４ａ，５ａの延設方向Ｘ（左右方向）で中央位置と左右両端位置とに三組配置されている。この各組の支持突起２０のうち、中央位置の支持突起２０と左端位置の支持突起２０との間、中央位置の支持突起２０と右端位置の支持突起２０との間でそれぞれ、前記第一下側支持突起６と第一上側支持突起８とが刃先３ａ，４ａ，５ａの延設方向Ｘへ二本ずつ交互に並設されている。そのほか、それらの間で一本の第一下側支持突起６と一本の第一上側支持突起８とを並設してもよい。請求項でいう「交互」とは、各支持突起２０，６，８の本数に関係なく、同じものを互いに隣接して並べないことを意味している。
【００２１】
前記各第一上側支持突起８のかしめ部８ｂを刃台１の下側でかしめると、下刃体３と中刃体４と上刃体５とが刃台１と天板２との間で挟着され、下刃体３と中刃体４との間、中刃体４と上刃体５との間にそれぞれ髭かす排除間隙２１が形成される。この場合、各刃体３，４，５には、刃先３ａ，４ａ，５ａの延設方向Ｘに対し直交する上下方向の挟着力Ｆが加わる。
【００２２】
前記各組の支持突起２０（第二下側支持突起７及び第二上側支持突起９）においては、中刃体４に突き合わせた第二下側支持突起７の当接面１８の形状及び面積と、中刃体４に突き合わせた第二上側支持突起９の当接面１９の形状及び面積とが、互いにほぼ同じになっているとともに、この当接面１８の上方域Ｐとこの当接面１９の下方域Ｑとが互いにほぼ一致し、この当接面１８が中刃体４に与える圧接力ｆ（前記挟着力Ｆの一部）と、この当接面１９が中刃体４に与える圧接力ｆ（前記挟着力Ｆの一部）とは、互いに打ち消し合うようにほぼ等しくなっている。
【図面の簡単な説明】
【図１】  （ａ）は本実施形態にかかる三枚刃剃刀ヘッドを示す分解斜視図であり、（ｂ）は同じく組付斜視図である。
【図２】  （ａ）は図１（ｂ）の断面図であり、（ｂ）は（ａ）の部分拡大断面図であり、（ｃ）は（ａ）及び（ｂ）で示した第二下側支持突起と第二上側支持突起との関係を示す部分拡大説明図である。
【符号の説明】
１…刃台、２…天板、３…下刃体、４…中刃体、５…上刃体、３ａ，４ａ，５ａ…刃先、６…第一下側支持突起、７…第二下側支持突起、８…第一上側支持突起、９…第二上側支持突起、２０…一組の支持突起。
【図１】
0004598920.tif 000002
【図２】
0004598920.tif 000003